(57)【要約】  【課題】固体熱伝導が小さく、さらには活性度の低い気体を吸着可能である吸着材を得ることにより、断熱性能のよい断熱体を提供する。  【解決手段】断熱体７は、芯材９と、ガスバリア性を有する外被材１０と、気体を吸着可能な吸着材８と、水分吸着材１１とを備え、外被材１０が芯材９と吸着材８と水分吸着材１１を被い、吸着材８が金属錯体を有することを特徴とするものである。吸着材８として金属錯体を有することにより、吸着材８の固体熱伝導を小さくすると共に、活性度の低い気体を吸着可能とすることができる。【選択図】図４
2006002920.tif 000002
【特許請求の範囲】
【請求項１】
少なくとも、芯材と、気体を吸着可能な吸着材と、前記芯材と前記吸着材を被うガスバリア性を有する外被材とを備え、前記吸着材が金属錯体を有することを特徴とする断熱体。
【請求項２】
前記金属錯体が、三次元構造を有することを特徴とする請求項１に記載の断熱体。
【請求項３】
前記金属錯体が、気体を吸着する前後で集積構造が変化し、細孔の大きさが変化することを特徴とする請求項１または２に記載の断熱体。
【請求項４】
前記金属錯体が、少なくともアルカリ金属、アルカリ土類金属、遷移金属のうち少なくとも一種の金属を含むことを特徴とする請求項１から３のいずれか一項に記載の断熱体。
【請求項５】
前記金属が、ルテニウム、鉄、モリブデン、ジルコニウム、ニッケル、銅のうち少なくとも一つを含むことを特徴とする請求項１から４のいずれか一項に記載の断熱体。
【発明の詳細な説明】
【技術分野】
【０００１】
本発明は、吸着材を含む断熱体に関するものである。
【背景技術】
【０００２】
近年、地球温暖化防止の観点から省エネルギーが強く望まれており、家庭用電化製品についても省エネルギー化は緊急の課題となっている。特に、冷蔵庫、冷凍庫、自動販売機等の保温保冷機器では熱を効率的に利用するという観点から、優れた断熱性能を有する断熱材が求められている。
【０００３】
一般的な断熱材として、グラスウールなどの繊維材やウレタンフォームなどの発泡体が用いられている。しかし、これらの断熱材の断熱性能を向上するためには断熱材の厚さを増す必要があり、断熱材を充填できる空間に制限があって省スペースや空間の有効利用が必要な場合には適用することができない。
【０００４】
そこで、高性能な断熱材として、真空断熱体が提案されている。これは、スペーサの役割を持つ芯材を、ガスバリア性を有する外被材中に挿入し内部を減圧にして封止した断熱体である。
【０００５】
真空断熱体内部の真空度を上げることにより、高性能な断熱性能を得ることができるが、真空断熱体内部に存在する気体には大きくわけて次の３つがある。第１に、真空断熱体作製時、排気できずに残存する気体、第２に、減圧封止後、芯材や外被材から発生する気体（芯材や外被材に吸着している気体や、芯材の未反応成分が反応することによって発生する反応ガス等）、第３に、外被材を通過して外部から侵入してくる気体である。
【０００６】
これらの気体を吸着するため、吸着材を真空断熱体に充填する方法が考案されている。
【０００７】
例えば、真空断熱体内の二酸化炭素や水分を、汎用的な吸着材であるシリカアルミナ等で吸着するものがある（例えば、特許文献１参照）。
【０００８】
また、真空断熱体内の気体を、Ｂａ−Ｌｉ合金を用いて吸着するものがある（例えば、特許文献２参照）。
【０００９】
真空断熱体内の吸着材が吸着すべき気体のうち、最も吸着困難な気体のひとつが窒素である。これは、窒素分子が約９４０ｋＪ／ｍｏｌという大きい結合エネルギーを有する非極性分子であるから、活性化させるのが非常に困難であるためである。しかし、Ｂａ−Ｌｉ合金により窒素を吸着可能とし、真空断熱体内部の真空度を維持するのである。
【００１０】
また、近年、天然ガス自動車のメタン貯蔵を目的として、金属錯体に気体を吸脱着させる方法が考案されている。
【００１１】
例えば、ビカルボン酸ハロゲン化錯体を加圧条件下でメタンと接触させることにより、ガスを吸着、貯蔵し、減圧にすることによりメタンを放出させるものである（例えば、特許文献３参照）。
【特許文献１】特開昭６１−１０３０９０号公報
【特許文献２】特表平９−５１２０８８号公報
【特許文献３】特開２０００−１０９４９３号公報
【発明の開示】
【発明が解決しようとする課題】
【００１２】
しかしながら、特許文献１に記載の上記従来の構成では、窒素等活性の低い気体は吸着することがきない。
【００１３】
また、特許文献２に記載の上記従来の構成では、窒素等を吸着させるために金属を用いており、吸着材自体の固体熱伝導が大きいため、結果吸着材を配設した部位の断熱性能が悪化するという課題があった。
【００１４】
また、特許文献３に記載の上記従来の構成では、加圧条件での気体吸着であり、減圧下では気体は放出される。
【００１５】
本発明は、上記従来の課題を解決するもので、固体熱伝導が小さく、さらには窒素等活性度の低い気体を吸着可能である吸着材を得ることにより、断熱性能のよい断熱体を提供することを目的とする。
【課題を解決するための手段】
【００１６】
上記従来の課題を解決するために、本発明の断熱体は、少なくとも、芯材と、気体を吸着可能な吸着材と、前記芯材と前記吸着材を被うガスバリア性を有する外被材とを備え、前記吸着材が金属錯体を有することを特徴とするものである。
【００１７】
吸着材として金属錯体を有することにより、吸着材の固体熱伝導を小さくすると共に、活性度の低い気体、特に窒素を吸着可能とすることができる。これは、金属錯体中の金属と気体との相互作用のため、及び金属錯体が強固で安定な多孔性骨格をもつ三次元構造であればその孔内部表面には金属が効率的に配置され、気体との相互作用が大きくなるため、その孔内部に活性度の低い気体を吸着できると考えられる。
【００１８】
また、本発明における吸着材は、気体を吸着する前後で集積構造が変化し、細孔の大きさが変化することを特徴とするものである。
【００１９】
これにより、金属錯体の集積構造のもつ孔のサイズと形等により気体を選択的に取り込み、吸着後細孔の大きさを変化させて気体を封じ込めることも可能となる。
【００２０】
これによって、活性度の低い気体、特に窒素でも本吸着材が取り込み、封じ込め、減圧下でも気体を放出しないようにすることができるようになる。
【００２１】
あるいは、活性度の低い気体を本吸着材が選択的に吸着し、水分など吸着しやすい気体を酸化カルシウム、シリカゲルなど汎用的な吸着材で吸着させることも可能となり、吸着材、ひいては断熱体の長寿命化を図ることができる。
【発明の効果】
【００２２】
本発明の断熱体は、吸着材として金属錯体を用いることにより、吸着材の固体熱伝導を小さくすると共に、真空断熱材中の残存気体や芯材からの発生ガス、及び経時的に外部から侵入してくる気体、その中でも特に活性度の低い気体を吸着可能とすることにより、断熱性能の向上を図ることができる。
【発明を実施するための最良の形態】
【００２３】
請求項１に記載の発明は、少なくとも、芯材と、気体を吸着可能な吸着材と、前記芯材と前記吸着材を被うガスバリア性を有する外被材とを備え、前記吸着材が金属錯体を有することを特徴とする断熱体である。
【００２４】
吸着材は、金属錯体で、気体を吸着するものを利用できる。気体として、窒素、酸素、水素、二酸化炭素、水、一酸化炭素等を吸着できるものが好ましいが、特に窒素を吸着可能なものが好ましい。
【００２５】
また、金属錯体は一次元、二次元、三次元構造を有するものを利用できる。
【００２６】
また、金属錯体からなる吸着材と、その他の吸着材、例えば公知の化学吸着材や物理吸着材を併用することも可能である。
【００２７】
また、芯材としては有機、無機化合物からなる繊維材料、粉体材料、連通発泡体、及びそれらの混合物などを利用できる。
【００２８】
また、外被材としては、少なくとも熱融着層、ガスバリア層、保護層を有するラミネートフィルム、あるいは金属やプラスチック、ガラス等の容器等、ガスバリア性を有する公知のものを利用できる。
【００２９】
また、請求項２に記載の発明は、金属錯体が三次元構造を有することを特徴とする断熱体である。
【００３０】
金属錯体が三次元構造をもち、気体を吸着していない状態でもその構造が維持されるような強固で安定な構造として、配位結合による二重シート構造が密接に絡み合って積層した多孔性骨格、あるいは三次元に配位結合でつなげた骨格をもつ構造等が必要である。
【００３１】
これら本発明の断熱体に適用する金属錯体の構造として、例えば図１に示すように、自らの骨格同士が相互貫通した構造である相互貫入構造をもつ金属錯体１がある。図１では平面構造をもつ錯体が相互貫通しているが、三次元状の格子構造をもつ錯体が相互貫通したような構造でもよい。貫通しあっている骨格同士の隙間からなる孔に気体２を吸着することができる。
【００３２】
あるいは図２に示すように、層構造４同士をピラー分子５が配位結合して連結したピラー層構造をもつ金属錯体３がある。あるいは図３に示すように格子状に連結した骨格をもつ連絡格子層構造をもつ金属錯体６等がある。
【００３３】
また、請求項３に記載の発明は、金属錯体が、気体を吸着する前後で集積構造が変化し、細孔の大きさが変化することを特徴とする断熱体である。
【００３４】
このような集積構造をもつ金属錯体として、例えば相互貫入構造を有する錯体が、貫通しあっている骨格同士の隙間からなる孔に気体を吸着し、吸着後は孔が狭くなるといった構造、また、ピラー層構造のピラー分子が気体を吸着するときに開き、吸着後は閉じるといった構造などが考えられる。
【００３５】
このような錯体の構造としては、例えば［Ｃｕ2（２，５−ジヒドロキシ安息香酸）2（４，４‘−ビピリジル）］ｎや、［Ｃｕ2（テレフタル酸）2（４，４‘−ビピリジル）］ｎなどがある。
【００３６】
また、金属錯体が、少なくともアルカリ金属、アルカリ土類金属、遷移金属のうち少なくとも一種の金属を含むことを特徴とし、これらの中でもルテニウム、鉄、モリブデン、ジルコニウム、ニッケル、銅を含むことを特徴とするものである。
【００３７】
これらの金属を含むことにより、他の吸着材では吸着しにくい窒素の吸着性能は向上する。あるいは、リチウム等も窒素吸着に有効である。
【００３８】
以下、本発明の実施の形態について、図面を参照しながら説明する。なお、この実施の形態によって本発明が限定されるものではない。
【００３９】
（実施の形態１）
図４は、本発明の実施の形態１における、金属錯体からなる吸着材８を適用した断熱体７の断面図を示すものである。
【００４０】
断熱体７は、金属錯体からなる吸着材８と、芯材９と、ガスバリア性を有する外被材１０と、水分吸着材１１を備え、吸着材８と芯材９と水分吸着材１１を被う前記外被材１０の内部を減圧してなるものである。
【００４１】
芯材９として無機繊維集合体を、外被材１０として熱融着層、ガスバリア層、表面保護層からなるラミネートフィルムを使用している。
【００４２】
金属錯体の種類を変えた吸着材を適用した断熱体における気体吸着の評価結果を実施例１から実施例４に示す。評価は、いずれも初期の内圧を１３Ｐａとし、その後の経時的な内圧増大を比較例１の断熱体と比較して行った。
【００４３】
（実施例１）
吸着材として４，４‘−ビフェニルジカルボン酸とルテニウムからなる錯体、及び水分吸着材として酸化カルシウムを用いて断熱体を作製した。経時１ヶ月後の内圧は１８Ｐａであり、比較例１と比較して経時的な劣化は少ない。これは、金属錯体が外被材を透過侵入してくる窒素や酸素などを吸着しているためと考える。
【００４４】
（実施例２）
吸着材として、４，４‘−ビピリジンと銅からなる錯体、及び水分吸着材として酸化カルシウムを用いて断熱体を作製した。経時１ヶ月後の内圧は１８Ｐａであり、比較例１と比較して経時的な劣化は少ない。これは、金属錯体が外被材を透過侵入してくる窒素や酸素などを吸着しているためと考える。
【００４５】
（実施例３）
吸着材として、２，５−ジヒドロキシ安息香酸と４，４‘−ビピリジンと銅からなる集積金属錯体、及び水分吸着材として酸化カルシウムを用いて断熱体を作製した。経時１ヶ月後の内圧は１６Ｐａであり、比較例１と比較して経時的な劣化は少ない。これは、金属錯体が外被材を透過侵入してくる窒素や酸素などを吸着しているためと考える。
【００４６】
（実施例４）
吸着材として、テレフタル酸と４，４‘−ビピリジンと銅とからなる集積金属錯体、及び水分吸着材として酸化カルシウムを用いて断熱体を作製した。経時１ヶ月後の内圧は１６Ｐａであり、比較例１と比較して経時的な劣化は少ない。これは、金属錯体が外被材を透過侵入してくる窒素や酸素などを吸着しているためと考える。
【００４７】
（実施の形態２）
図５は、本発明の実施の形態２における、金属錯体からなる吸着材８を適用した断熱体１２の断面図を示すものである。
【００４８】
断熱体１２は、金属錯体からなる吸着材８と、芯材９と、ガスバリア性を有する外被材１０とを備え、前記外被材１０の内部を減圧してなるものである。芯材９、外被材１０は実施の形態１と同様のものを使用している。
【００４９】
金属錯体として実施例１にて使用した吸着材を適用した断熱体における断熱性能の評価結果を実施例５に示す。評価は、吸着材を含む部位の熱伝導率を測定し、比較例２の断熱体と比較した。
【００５０】
（実施例５）
吸着材として４，４‘−ビフェニルジカルボン酸とルテニウムからなる錯体を用いて断熱体を作製した。吸着材を含む部位の熱伝導率は、０．００２５Ｗ／ｍＫであり、比較例２と比較して熱伝導率は小さい。これは、吸着材に金属錯体を用いているため吸着材自身の熱伝導率が小さいためと考える。
【００５１】
（実施の形態３）
図６は、本発明の実施の形態３における、金属錯体を含むことを特徴とする吸着材を適用した断熱体１３の断面図を示すものである。
【００５２】
断熱体１３は、気体を吸着する吸着材８と、芯材９と、ガスバリア性を有する外被材１４とを備え、前記外被材１４の内部を減圧してなるものである。
【００５３】
芯材９として無機繊維集合体を、外被材１４としてステンレス鋼からなる容器を、吸着材として実施の形態１の金属錯体からなる吸着材８を用いたことを特徴とするものであり、真空排気時に除去しきれない窒素を金属錯体が吸着し、その結果、断熱体１３の断熱性能の向上を図ることができる。
【００５４】
次に本発明の断熱体に対する比較例を示す。評価方法は実施例に準じるものとする。
【００５５】
（比較例１）
吸着材として、酸化カルシウムを用いて断熱体を作製した。経時１ヶ月後の内圧は２０Ｐａであった。
【００５６】
（比較例２）
吸着材として、Ｂａ−Ｌｉ合金を用いて断熱体を作製した。吸着材を含む部位の熱伝導率は、０．００５０Ｗ／ｍＫであった。
【産業上の利用可能性】
【００５７】
以上のように、本発明にかかる断熱体は、吸着材の固体熱伝導を小さくすると共に、真空断熱材中の気体、その中でも特に活性の低い気体を吸着可能とすることにより、断熱性能の向上を図ることができ、優れた断熱性能を発現可能なものであり、冷凍冷蔵庫および冷凍機器をはじめとした温冷熱機器や、熱や寒さから保護したい物象などのあらゆる断熱用途に適用できる。
【図面の簡単な説明】
【００５８】
【図１】相互貫入構造をもつ金属錯体からなる吸着材の模式図
【図２】ピラー層構造をもつ金属錯体からなる吸着材の模式図
【図３】連絡格子層構造をもつ金属錯体からなる吸着材の模式図
【図４】本発明の実施の形態１における吸着材を適用した断熱体の断面図
【図５】本発明の実施の形態２における吸着材を適用した断熱体の断面図
【図６】本発明の実施の形態３における吸着材を適用した断熱体の断面図
【符号の説明】
【００５９】
１    相互貫入構造をもつ金属錯体
２    気体
３    ピラー層構造をもつ金属錯体
４    層構造
５    ピラー分子
６    連絡格子層構造をもつ金属錯体
７    断熱体
８    吸着材
９    芯材
１０  外被材
１１  水分吸着材
１２  断熱体
１３  断熱体
１４  外被材
【図１】
2006002920.tif 000003
【図２】
2006002920.tif 000004
【図３】
2006002920.tif 000005
【図４】
2006002920.tif 000006
【図５】
2006002920.tif 000007
【図６】
2006002920.tif 000008